(57)【特許請求の範囲】
【請求項１】
熱可塑性樹脂製の箱体、箱棒、蝶棒の３点構成からなる隠しスライドファスナーの開離嵌挿具において、略角柱状を呈する箱棒２および蝶棒３の各内側端に、箱体１の前面に有する開口部４の左右に設けたフランジ７をガイドするコ字状のガイド部８を連設し、ガイド部８の外側に平板状の支持部９を連設し、ガイド部８および支持部９はファスナーストリンガーテープＴの終端に連設し、蝶棒３とガイド部８と支持部９および箱棒２とガイド部８と支持部９とが熱可塑性樹脂によって一体成形し、蝶棒３の内側端に連設したガイド部８の側壁１５の端部に設けた切欠部１８にフランジ７が挿入可能に形成し、箱棒２を箱体１の箱棒挿入孔５に挿入固定可能に形成したことを特徴とする隠しスライドファスナーの開離嵌挿具。
【請求項２】
箱棒２および蝶棒３に連設されるガイド部８および支持部９は、箱体１が配置される個所を薄く、その外側を厚く形成し、かつファスナーストリンガーテープＴの一面に厚形の支持部９を延設固定してなる請求項１記載の隠しスライドファスナーの開離嵌挿具。
【請求項３】
箱体１は、箱棒２および蝶棒３に連設するガイド部８および箱体１が配される薄形の支持部９よりも長尺、箱棒２および蝶棒３よりも短尺に形成してなる請求項１または２記載の隠しスライドファスナーの開離嵌挿具。
【請求項４】
箱棒２は箱体１の一側に設けた箱棒挿入孔５に挿入し、係止固定可能な形態に形成してなる請求項１、２また３記載の隠しスライドファスナーの開離嵌挿具。
【請求項５】
箱体１の中央に舌片状の仕切片２２を設け、仕切片２２の先端に箱棒挿入孔５側へ突出するフック状の掛止部２４を設け、箱棒２の内側外面に弾性を備えた弾発片１０を突設して掛止部２４と係止可能に形成してなる請求項４記載の隠しスライドファスナーの開離嵌挿具。
【請求項６】
箱棒２に突設した弾発片１０の基部に外側面へ突出する突部１２を仕切片２２に当接可能に設け、かつ弾発片１０の先端における箱棒２の外側面に、仕切片２２の掛止部２４に相当する間隔をおいて突出する凸面部１３を蝶棒３に当接可能に形成してなる請求項５記載の隠しスライドファスナーの開離嵌挿具。
【発明の詳細な説明】
【０００１】
【発明の属する技術分野】
この発明は、隠しスライドファスナーにおけるファスナーチェンの一端部に取付けられて、スライダーの開閉操作に基づいて、閉鎖状のファスナーチェンを左右のファスナーストリンガーに分離開放し、また開放状態のファスナーチェンを閉鎖させる機能を備えた、箱体、箱棒、蝶棒から構成された開離嵌挿具であって、箱体はファスナーストリンガーを被着物に取付けた後で箱棒に取着する後付けタイプの開離嵌挿具に関するものである。
【０００２】
【従来の技術】
従来、箱体、箱棒、蝶棒から構成された開離嵌挿具を備えた隠しスライドファスナーにおいて、ファスナーチェンからスライダーおよび箱体を取外した状態で左右のファスナーストリンガーを被着物に縫製した後に、箱棒を備えたファスナーストリンガーにスライダーを箱棒側から嵌挿させ、しかる後に箱体をファスナーストリンガーの端部に装着した箱棒に嵌挿させて、箱体と箱棒とを係止固定する隠しスライドファスナーの開離嵌挿具が特開平６−４６９０６号公報あるいは特開平６−２４５８０６号公報などに開示されている。
【０００３】
【発明が解決しようとする課題】
従来知られた箱体、箱棒、蝶棒から構成された開離嵌挿具を備えた隠しスライドファスナー、また前項で例示した隠しスライドファスナーの開離嵌挿具は、その殆どがファスナーストリンガーテープの側縁に熱可塑性樹脂の箱棒および蝶棒をそれぞれ直接射出成形手段によって装着するか、またはストリンガーテープの端部に熱可塑性樹脂製の補強フィルムを貼着また溶着してストリンガーテープ端部を補強し、あるいはポリエステル、ポリウレタンなどの熱可塑性樹脂液を浸透させ、加熱成形して硬化させたうえで側縁に熱可塑性樹脂の箱棒および蝶棒を射出成形手段によって成形し、開離嵌挿具を完成させている。
【０００４】
したがってストリンガーテープにおける箱棒、蝶棒の取付け近傍が柔軟であるか、または変形し易く箱体と箱棒の装着すなわち成形手段が面倒であり、しかも箱棒に対する箱体の装着が不安定で面倒であること、および箱体装着後において長期にわたって使用すると蝶棒の取付け部分が変形し易く、蝶棒の箱体への嵌脱操作が的確に行うことが難しく、特に隠しスライドファスナーにおいてはきわめて面倒であるなど問題点がある。
【０００５】
この発明は、上述の問題点を考慮して発明されたものであり、この発明のうち請求項１記載の発明は、箱体、箱棒、蝶棒から構成される隠しスライドファスナーの開離嵌挿具において、ストリンガーテープの端部を熱可塑性樹脂を用いて堅牢な補強部分を形成すると同時に、取扱いが簡便な形態の箱棒、蝶棒を一体成形し、ストリンガーテープに対する箱体の取付け操作が簡便かつ的確に行え、そのうえ蝶棒の取付け部分が変形することなく長期にわたって嵌脱操作が簡易に行える隠しスライドファスナーの開離嵌挿具を提供することが主たる目的である。
【０００６】
請求項２記載の発明は、請求項１記載の発明の目的に加え、隠しスライドファスナーにおけるストリンガーテープの端部を補強し長期の使用に耐え、かつ取扱いが簡便に行える隠しスライドファスナーの開離嵌挿具を提供することが目的である。
【０００７】
請求項３記載の発明は、請求項１または２記載の発明の目的に加え、隠しスライドファスナーの開離嵌挿具における箱体の形態を特定することによって、箱体の取扱いが簡便にでき、かつ開離嵌挿操作が簡易に行える隠しスライドファスナーの開離嵌挿具を提供することが目的である。
【０００８】
請求項４記載の発明は、それぞれ請求項１、２または３記載の発明の目的に加え、隠しスライドファスナーの開離嵌挿具における箱棒の箱体への装着形態を特定することによって、箱棒を箱体に的確かつ強固に固定することができ、開離嵌挿操作が簡易に行える隠しスライドファスナーの開離嵌挿具を提供することが目的である。
【０００９】
請求項５記載の発明は、請求項４記載の発明の目的に加え、隠しスライドファスナーの開離嵌挿具における箱体と箱棒との関連形態を特定することによって、箱棒をより的確かつ容易に箱体に装着することができ、しかも長期にわたって係止固定形態を維持できる隠しスライドファスナーの開離嵌挿具を提供することが目的である。
【００１０】
請求項６記載の発明は、請求項５記載の発明の目的に加え、隠しスライドファスナーの開離嵌挿具における箱棒の外側面の形態を特定することによって、箱体を容易に係止固定でき、しかも安定した状態で装着でき、長期にわたって箱体ががたつくことがない堅牢な隠しスライドファスナーの開離嵌挿具を提供することが目的である。
【００１１】
【課題を解決するための手段】
上述の目的を達成するため、この発明のうち請求項１記載の発明は、熱可塑性樹脂製の箱体、箱棒、蝶棒の３点構成から形成された隠しスライドファスナーの開離嵌挿具において、略角柱状を呈する箱棒２および蝶棒３の各内側端に、箱体１の前面に有する開口部４の左右に設けたフランジ７をガイドするコ字状のガイド部８を連設し、このガイド部８の外側に平板状の支持部９を一体に連設し、ガイド部８および支持部９はそれぞれファスナーストリンガーテープＴの終端に連設し、蝶棒３とガイド部８と支持部９および箱棒２とガイド部８と支持部９とが熱可塑性樹脂によって一体成形し、蝶棒３の内側端に連設したガイド部８の側壁１５の端部に設けた切欠部１８にフランジ７が挿入可能に形成し、箱棒２を箱体１に設けた箱棒挿入孔５に挿入し、固定できるように形成した箱体後付けタイプの隠しスライドファスナーの開離嵌挿具を主な構成とするものである。
【００１２】
請求項２記載の発明は、請求項１記載の発明の構成に加え、箱棒２および蝶棒３に連設されるコ字状のガイド部８および平板状の支持部９は、箱体１が配置される個所を薄く形成し、薄く形成された個所の外側を厚形に形成し、かつファスナーストリンガーテープＴの一面すなわち表面に厚形の支持部９が拡張される状態に延設固定した隠しスライドファスナーの開離嵌挿具である。
【００１３】
請求項３記載の発明は、請求項１また２記載の発明の構成に加え、箱体１は、箱棒２および蝶棒３に連設するコ字状のガイド部８および箱体１が配される薄形の支持部９よりも長尺であって、箱棒２および蝶棒３よりも短尺の形態に形成した隠しスライドファスナーの開離嵌挿具である。
【００１４】
請求項４記載の発明は、請求項１、２または３記載の発明の構成に加え、箱棒２は箱体１の一側に設けた箱棒挿入孔５に挿入することによって、箱棒２と箱体１とが係止固定できる形態に形成した隠しスライドファスナーの開離嵌挿具である。
【００１５】
請求項５記載の発明は、請求項４記載の発明の構成に加え、箱体１の前面中央は開口し、背壁２１の中央に舌片状の仕切片２２を突設し、この仕切片２２の先端に箱棒挿入孔５側へ突出するフック状の掛止部２４を設け、箱棒２の内側外面に弾性を備えた弾発片１０を突設して掛止部２４と係止できるように形成した隠しスライドファスナーの開離嵌挿具である。
【００１６】
請求項６記載の発明は、請求項５記載の発明の構成に加え、箱棒２の内側外面に突設した弾性片１０の基部に、外側面へ突出する突部１２を箱体１の仕切片２２に当接できるように設け、かつ弾発片１０の先端上方における箱棒２の外側面に、仕切片２２に設けた掛止部２４の長さに相当する間隔をおいて突出する平坦状の凸面部１３を設け、蝶棒３に当接できるように形成した隠しスライドファスナーの開離嵌挿具である。
【００１７】
【発明の実施の形態】
以下、この発明における隠しスライドファスナーの開離嵌挿具の実施の形態について、図面を参照しながら具体的に説明する。
【００１８】
この発明の隠しスライドファスナーの開離嵌挿具は図１〜３に示すように、箱体１、箱棒２、蝶棒３の３部材から構成され、これら箱体１、箱棒２、蝶棒３は、それぞれポリアミド、ポリアセタール、ポリプロピレン、ポリブチレンテレフタレートなどの熱可塑性樹脂を用いて射出成形または押出成形手段によって一体成形する。箱棒２および蝶棒３は略角柱状を呈し、ファスナーストリンガーテープＴの側縁に取付けたファスナーエレメントＥに連接してストリンガーテープＴの側縁に一体成形によって装着され、箱体１は前面に開口部４を有し左右に箱棒挿入孔５、蝶棒挿入孔６が形成されている。箱体１は別個に作製して一方のストリンガーテープＴに装着された箱棒２に箱体１を嵌挿して固定して開離嵌挿具を完成させる。
【００１９】
箱棒２は、図３に示すように一方のファスナーストリンガーテープＴの側縁をＵ状に折返した表面に、熱可塑性合成繊維のモノフイラメントから成形されたコイル状ファスナーエレメントＥを縫着し、ファスナーエレメントＥの噛合頭部ＨはストリンガーテープＴの折返し縁部側に配置される。そしてこのファスナーエレメントＥに連続する形態で略角柱状を呈する箱棒２が一体成形で取付けられ、また蝶棒３も箱棒２と略同様の形態でストリンガーテープＴの折返し側縁に取付けられる。なおファスナーエレメントはジグザグタイプあるいは単体また金属製のファスナーエレメントであってもよい。
【００２０】
箱棒２はストリンガーテープＴの折返し縁部側すなわち内側端に、図６、７、８に示すように鍵形に連接して箱棒２との間にコ字状のガイド部８が形成されるように、箱棒２とともに熱可塑性樹脂によって一体成形され、また他のストリンガーテープＴの折返し縁部側すなわち内側端にも、図６、７、８に示すように鍵形に連接して蝶棒３との間にコ字状のガイド部８を熱可塑性樹脂によって一体成形し、両ストリンガーテープＴに形成されたガイド部８は箱体１の前面に形成された開口部４のフランジ７をガイドする。
【００２１】
双方のコ字状のガイド部８の外側には、支持部９がガイド部８とともに熱可塑性樹脂によって一体成形され、ガイド部８および支持部９は図３に示すようにストリンガーテープＴの終端に連接する形態で成形されている。しかもガイド部８および支持部９は箱体１が嵌挿される部分は薄形に成形され、その外側の支持部９は厚形に成形するとともに、支持部９のストリンガーテープＴに対向する側はストリンガーテープＴの表面まで厚形状態で延長されストリンガーテープＴに溶着固定される。この厚形の支持部９は箱棒２および蝶棒３よりも内方まで延設され、ストリンガーテープＴの端部を補強して蝶棒３の箱体１への嵌脱操作の円滑化を図っている。
【００２２】
箱棒２は内側下端に弾性を備えたフック状に突出した弾発片１０を設け、この弾発片１０の内側には弾性変形が容易にできるように凹陥部１１が凹設されている。弾発片１０の下端基部には小形の突部１２を突設して箱体１に設けた箱棒挿入孔５に圧接できるように形成する。そして弾発片１０の上方における箱棒２の外側面には、箱体１に設けた仕切片２２の掛止部２４の大きさに相当する間隔をおいて、外方へ突出する扁平状の凸面部１３を設け、この凸面部１３は対向する蝶棒３に当接可能に形成し、また凸面部１３の上部は段差を設けた凹部１４が形成され、箱棒２の上端はコイル状ファスナーエレメントＥの下端部を埋装する形態で接続されている。なお箱棒２の内側端に連接されるガイド部８の側壁１５には、開口部１６が設けられている。
【００２３】
蝶棒３は、図３に示すように箱棒２を装着したストリンガーテープＴとは異なる他のストリンガーテープＴの折返し側縁部に取付けられたコイル状ファスナーエレメントＥに連続した略角柱状を呈し、かつ内側外面の下端が先細状に傾斜する斜面部１７が設けられ、箱体１への挿入操作の円滑化を図った形態に形成されている。そして図３、４から明らかなとおり、蝶棒３の内側端に連設したガイド部８は、側壁１５の先端を蝶棒３の斜面部１７に沿って切欠いて切欠部１８を設け、箱体１に形成されたフランジ７に沿って円滑に移動することができる。
【００２４】
蝶棒３は箱棒２よりも丈が長く内側外面の上部には図２、４に示すように小形のフック部１９を突設し、箱棒２の凹部１４に当接して対向するコイル状ファスナーエレメントＥの最下位のファスナーエレメントＥと噛合できるように形成されている。なお蝶棒３の外側面は湾曲した凹状面２０に形成し、蝶棒３をスライダーＳおよび箱体１に円滑に挿入しセットできるように形成されている。
【００２５】
箱体１は、図１、１０に示すように、前面中央に縦方向の開口部４を設けて左右にフランジ７を形成し、箱体１の背壁２１の中央には舌片状の仕切片２２を縦設して左右に箱棒挿入孔５と蝶棒挿入孔６を設ける。蝶棒挿入孔６は有底であるが箱棒挿入孔５は底部に透孔２３が穿設され、仕切片２２の成形、特に仕切片２２の先端にフック状に箱棒挿入孔５側へ突出する掛止部２４の成形の便宜を図かる。この掛止部２４は箱棒２の弾発片１０と凸面部１３との間に嵌入して箱棒２と箱体１とを強固に固定する役目を果たす。なお仕切片２２は蝶棒挿入孔６側の基部が太く斜状に形成され、蝶棒３の斜面部１７と当接可能に形成されている。
【００２６】
箱体１の上面にはスライダーＳを嵌入し保持できる凹窪部２５が凹設され、開離嵌挿操作の際スライダーＳを安定した状態で保持し円滑な操作ができるように形成されている。
【００２７】
ここで箱体１、箱棒２、蝶棒３から構成される開離嵌挿具の組立て使用態様について説明すると、まず箱棒２を取付けたストリンガーテープＴを被着物の一方の縁部に縫着した後、箱棒２からスライダーＳを挿通し、しかる後箱体１を開口部４を利用しながらフランジ７をガイド部８に挿入し、仕切片２２の掛止部２４を弾発片１０と凸面部１２との間に弾発的に嵌入し、箱体１を箱棒２に取付けて開離嵌挿具は組立てられる。そして被着物の他方の縁部に縫着されたストリンガーテープＴの蝶棒３をスライダーＳおよび箱体１の蝶棒挿入孔６に挿入した後、スライダーＳを押上げて左右のストリンガーテープＴに取付けられたコイル状ファスナーエレメントＥを噛合させてファスナーチェンを閉鎖させ、またスライダーＳを押下げて蝶棒３を箱体１およびスライダーＳから脱却してファスナーチェンを分離開放させる。
【００２８】
図１１〜１３は箱体１と箱棒２との係止態様を示したものであり、図１１は角柱状の箱棒２の先端に凹溝３０を刻設して弾性を付与し、箱棒２には外側面に突出する係止部３１を設けて、箱体１の箱棒挿入孔５の側壁面に形成した係止突部３２と係合させる形態以外は前記の実施例の形態と全く同一形態である。
【００２９】
図１２は角柱状の箱棒２の側面中央に角状の凹部３３を設けるとともに、箱体１の箱棒挿入孔５の側壁に箱棒２の凹部３３に合致する透孔３４を穿孔し、箱体１に箱棒２を挿入した後、箱体１の透孔３４から係止具３５を圧入係止させる形態以外は第１実施例の形態と全く同一形態である。
【００３０】
図１３は、角柱状の箱棒２の背面に複数個の凹部３６を凹設し、箱体１の箱棒挿入孔５に前記の箱棒２を挿入した後、箱体１の背壁２１を外側から加熱加圧することによって、箱体１の背壁２１と箱棒２の凹部３６とを溶着固定する形態以外は第１実施例の形態と全く同一形態である。その他箱棒２と箱体１との係止態様については、上記以外に知られた形態を適宜採り入れることは自由である。
【００３１】
【発明の効果】
この発明の隠しスライドファスナーの開離嵌挿具は、以上説明したとおりの構成であり、この構成によって下記の効果を奏するものである。
【００３２】
この発明のうち請求項１記載の発明は、略角柱状を呈する箱棒および蝶棒の各内側端に、箱体の前面に有する開口部の左右に設けたフランジをガイドするガイド部を連設し、ガイド部の外側に支持部を連設し、かつガイド部と支持部はストリンガーテープの終端に連設し、蝶棒とガイド部と支持部および箱棒とガイド部と支持部とが熱可塑性樹脂によって一体成形し、蝶棒の内側端に連設したガイド部の側壁の端部に設けた切欠部にフランジが挿入可能に形成し、箱棒を箱体に挿入固定可能に形成したことによって、簡単にストリンガーテープを補強するとともに、補強部分と箱棒または蝶棒とを一体成形することができ、開離嵌挿具の生産性の向上が図れる。しかも蝶棒は堅牢で変形しないから、蝶棒の嵌脱操作が簡易に行え長期の使用に耐えられ、取扱いの易しい箱体後付けタイプの開離嵌挿具を簡単に実現できる効果がある。
【００３３】
請求項２記載の発明は、請求項１記載の発明の効果に加え、箱棒および蝶棒に連設されるガイド部および支持部は、箱体が配置される個所を薄く、その外側を厚く形成し、かつストリンガーテープの一面に厚形の支持部を延設したことによって、箱棒に対する箱体の装着が簡便に行うことができるとともに、箱体に対する蝶棒の嵌脱操作がきわめて円滑に行うことができ、さらに支持部がストリンガーテープから簡単に剥離または離脱することがなく長期の使用に耐えられる効果がある。
【００３４】
請求項３記載の発明は、請求項１または２記載の発明の効果に加え、箱体は箱棒および蝶棒に連設するガイド部および箱体が配される薄形の支持部よりも長尺であり、箱棒および蝶棒よりも短尺に形成したとによって、ストリンガーテープに箱体を簡易かつ的確に装着するとができ、また蝶棒の取扱いが、きわめて簡便にできる効果がある。
【００３５】
請求項４記載の発明は、それぞれ請求項１、２または３記載の発明の効果に加え、箱棒は箱体の一側に設けた箱棒挿入孔に挿入し、係止固定可能な形態に形成するか、または溶着固定可能な形態に形成したことによって、それぞれ箱体の後付けタイプの開離嵌挿具に適しており、箱棒と箱体とを簡単な固定手段によって簡易に固定することができる効果がある。
【００３６】
請求項５記載の発明は、請求項４記載の発明の効果に加え、箱体の中央に舌片状の仕切片を設け、仕切片の先端に箱棒挿入孔側へ突出するフック状の掛止部を設け、箱棒の内側外面に弾性を備えた弾発片を突設して掛止部と係止可能に形成したことによって、箱体と箱棒とをきわめて円滑かつ簡易に取付け固定することができる効果がある。
【００３７】
請求項６記載の発明は、請求項５記載の発明の効果に加え、箱棒に突設した弾発片の基部に外側面へ突出する突部を仕切片に当接可能に設け、かつ弾発片の先端における箱棒の外側面に、仕切片の掛止部に相当する間隔をおいて突出する凸面部を蝶棒に当接可能に形成したことによって、箱体と箱棒との接合ががたつくことがなく強固に固定でき、頑丈な開離嵌挿具が得られる効果があるなど、この発明が奏する効果はきわめて顕著である。
【図面の簡単な説明】
【図１】隠しスライドファスナーにおける開離嵌挿具の背面図である。
【図２】同上の開離嵌挿具の横断平面図である。
【図３】同上の開離嵌挿具の一部を断面で示した分解斜視図である。
【図４】同上の開離嵌挿具における箱体を除外した背面図である。
【図５】図４におけるＡ−Ａ断面図である。
【図６】図４におけるＢ−Ｂ断面図である。
【図７】図４におけるＣ−Ｃ断面図である。
【図８】図４におけるＤ−Ｄ断面図である。
【図９】図４におけるＥ−Ｅ断面図である。
【図１０】同上の開離嵌挿具における箱体の横断平面図である。
【図１１】第２実施例に基づく開離嵌挿具における横断平面図である。
【図１２】第３実施例に基づく開離嵌挿具における横断平面図である。
【図１３】第４実施例に基づく開離嵌挿具の要部の縦断面図である。
【符号の説明】
１        箱体
２        箱棒
３        蝶棒
４        開口部
５        箱棒挿入孔
６        蝶棒挿入孔
７        フランジ
８        ガイド部
９        支持部
１０      弾発片
１２      突部
１３      凸面部
１５      側壁
１８      切欠部
２１      背壁
２２      仕切片
２４      掛止部
Ｔ        ストリンガーテープ
Ｅ        ファスナーエレメント
Ｈ        噛合頭部
Ｓ        スライダー
【図１】
0003589440.tif 000002
【図２】
0003589440.tif 000003
【図３】
0003589440.tif 000004
【図４】
0003589440.tif 000005
【図５】
0003589440.tif 000006
【図６】
0003589440.tif 000007
【図７】
0003589440.tif 000008
【図８】
0003589440.tif 000009
【図９】
0003589440.tif 000010
【図１０】
0003589440.tif 000011
【図１１】
0003589440.tif 000012
【図１２】
0003589440.tif 000013
【図１３】
0003589440.tif 000014